【事件の表示】
　特願２００５−１８７４５１「Ｘ線ＣＴスキャナ」拒絶査定不服審判事件〔平成１７年１１月２４日出願公開、特開２００５−３２４０５２〕について、次のとおり審決する。
【結　論】
　本件審判の請求は、成り立たない。
【理　由】
第１　手続の経緯
　本願は、本願は、平成８年７月１２日に出願した特願平８−１８３８６６号（以下、「原出願」の一部を平成１７年６月２７日に新たな特許出願としたものであって、平成２０年１月２４日付け拒絶理由通知に対し、同年３月３１日付けで手続補正されたが、同年５月２１日付けで拒絶査定され、これに対し、同年６月２６日に拒絶査定不服の審判が請求されるとともに、同年７月２８日付けで手続補正されたものである。
　
第２　平成２０年７月２８日付けの手続補正についての補正却下の決定
［補正却下の決定の結論］
　平成２０年７月２８日付けの手続補正（以下、「本件補正」という。）を却下する。
　
［理由］
１．本件補正後の本願発明
　本件補正により特許請求の範囲請求項１は、次のとおり補正された。
　　
「【請求項１】被検体に対するＸ線ビームのスライス厚方向及びこのスライス厚方向に直交するチャンネル方向に複数のＸ線検出素子を２次元的に配列し且つ前記スライス厚方向の前記Ｘ線検出素子のピッチを不均等に形成した２次元検出器と、この２次元検出器の検出信号を収集処理してその検出信号に応じたディジタルデータを得るデータ収集素子を前記スライス厚方向及びチャンネル方向に対応させて複数個配列して成るデータ収集装置とを備えたＸ線ＣＴスキャナにおいて、
　前記２次元検出器は前記スライス厚方向に沿って各チャンネル毎に複数の検出素子列を有し、この各チャンネル毎の検出素子列は、前記スライス厚方向の中心部に最小スライスピッチを有する複数の基本検出素子を配置し、そのスライス厚方向に沿った前記基本検出素子の両サイドに前記最小スライスピッチよりもｎ倍（ｎ：自然数）大きいスライスピッチを有するＸ線検出素子を配置した不均等ピッチ構造に構成し、
　前記２次元検出器の各Ｘ線検出素子を前記スライス厚方向毎にスライス厚条件に応じて切換可能に選択し、同一スライス層のＸ線透過データを前記データ収集装置のスライス厚方向に対応するデータ収集素子に送るように接続し、それぞれ同一のスライス厚のＸ線透過データが得られるようにする検出素子選択手段を
備え、
前記検出素子選択手段は、４スライス以上に対応した前記Ｘ線検出素子を選択し、最小スライスピッチより大きなスライスピッチのスライス厚が設定された場合において、スライス厚方向における内側のスライスに対応して選択される検出素子数は、外側のスライスに対応して選択される検出素子数よりも多い
   　
　すると、本件補正は、
　本件補正前の請求項１に記載した発明を特定するために必要な事項に関し、
「検出素子選択手段」の構成として、「
前記検出素子選択手段は、４スライス以上に対応した前記Ｘ線検出素子を選択し、最小スライスピッチより大きなスライスピッチのスライス厚が設定された場合において、スライス厚方向における内側のスライスに対応して選択される検出素子数は、外側のスライスに対応して選択される検出素子数よりも多い
　　
　したがって、平成１８年法律第５５号改正附則第３条第１項によりなお従前の例によるとされる同法による改正前（以下、「平成１８年法改正前」とする。）の特許法１７条の２第４項２号の特許請求の範囲の減縮を目的とするものに該当する。
　　
　そこで、本件補正後における特許請求の範囲に記載されている事項により構成される発明が特許出願の際独立して特許を受けることができるものであるか（平成１８年法改正前の特許法１７条の２第５項において準用する同法１２６条５項の規定に適合するか）否かを、請求項１に係る発明（以下、「本願補正発明」という。）について以下に検討する。
　　
２．引用例
（１）原査定の拒絶理由通知で引用された、原出願の出願前に頒布された刊行物である特開平８−６０６号公報（以下、「引用例１」という。）には、図面とともに次の事項が記載されている。
　　
（１−ア）「【特許請求の範囲】【請求項１】  Ｘ線発生源と、
該Ｘ線発生源と被検体との間に設けられ、ファンビームＸ線のスライス方向であるＸ線スライス幅Ｗi（但し、ｉはスライス幅番号であって、ｉ＝１、２、…、ｎ）を、最小スライス幅Ｗ1の整数倍に調整することができるＸ線スライス幅調整機構と、
チャンネル幅ｔ0、最小スライス幅Ｗ1相当のスライス検出幅ｄ1のサイズを有する検出素子が、ファンビーム方向にチャンネル相当分、スライス方向に少なくとも最大スライス幅Ｗn相当のスライス検出幅分配列した構成をなし、且つ前記Ｘ線発生源と対向して回転するＸ線検出器と、を備えたＸ線ＣＴ装置。
【請求項２】  Ｘ線発生源と、
該Ｘ線発生源と被検体との間に設けられ、ファンビームＸ線のスライス方向であるＸ線スライス幅Ｗi（但し、ｉはスライス幅番号であって、ｉ＝１、２、…、ｎ）を、最小スライス幅Ｗ1の整数倍で可変することができるＸ線スライス幅調整機構と、
チャンネル幅ｔ0、最小スライス幅Ｗ0相当のスライス検出幅ｄ1のサイズを有する検出素子を、ファンビーム方向にチャンネル相当分、スライス方向に少なくとも最大スライス幅Ｗn相当のスライス検出幅分、配列した構成をなし、且つ前記Ｘ線発生源と対向して回転するＸ線検出器と、
前記検出素子のＸ線受光量を各々計測して増幅する複数の増幅素子から成る増幅器と、
設定調整されたＸ線スライス幅Ｗiのスライス幅番号ｉに応じて選択された、スライス方向の増幅素子数分の出力を加算して取り出すようにした、増幅素子出力の選択手段と、
を備えたＸ線ＣＴ装置。」
   　
（１−イ）「【００１７】【実施例】以下本発明を実施例に基づいて、より詳しく述べる。図１は、実施例におけるＸ線ＣＴ装置の検出系をに示したものである。情報処理系は、ブロック図で簡単に示してある。図において、１０はＣＴ装置のＸ線発生源であるＸ線管の焦点、１１はＣＴ装置のＸ線の二次的放射源の役割を果たすＸ線スライス幅調整機構、２３はＸ線検出器、３５はプリアンプ、４１は画像処理装置、５１は制御装置、６１は画像表示装置、９０は加算選択手段である。
【００１８】Ｘ線検出器２３は、ｎ列の検出素子群２５、２６…から成る。検出素子群２５、２６は、素子群毎に、チャンネル総数分ｍの単位検出素子７０から成る。従って、Ｘ線検出器２３は、ｎ×ｍの単位検出素子を配列したものである。単位検出素子７０は、チャンネル方向の検出幅ｔとスライス方向の検出幅ｄ1から成る。隣り合う単位検出素子は、相互に独立してＸ線を検出できるように区分されている。単位検出素子７０の検出幅ｄ1は、スライス幅調整機構１１の最小スライス幅Ｗ1に対応した検出幅である。検出素子群２５、２６…の総列数ｎは、スライス幅調整機構１１の最大スライス幅Ｗnに対応した値である。即ち、総列数ｎによる総スライス幅ＷはＷ＝ｎ×Ｗ1であり、これがＷnに相当する。
・・・（中略）・・・
【００２１】Ｘ線スライス幅調整機構１１は、スライス幅Ｗとしてｎ個のＷi（但し、ｉは整数であって例えばｉ＝１、２、…、ｎ、即ち、Ｗ1、Ｗ2、…、Ｗn個。ここで、Ｗ1が最小スライス幅、Ｗnが最大スライス幅に相当する）のスライス幅を選択可能な構成である。ここでスライス幅Ｗとは、Ｘ線管の焦点１０とＸ線検出器の検出面との距離の、半分の位置（回転中心軸）での、スライス方向のＸ線幅である。最小スライス幅Ｗ1と第ｉ番目のスライス幅Ｗiは、Ｗi＝ｉＷ1となっている。かくしてスライス幅調整機構１１は最小スライス幅Ｗ1の整数倍のスライス幅が選択できる。最小スライス幅Ｗ1でのＸ線検出面での検出幅はｄ1である。即ち、最小スライス幅Ｗ1は、単位検出素子の検出スライス幅ｄ1に対応させてある。最大スライス幅Ｗnは総列数ｎでのスライス幅ｎＷ1に相当する。これは検出面でみるに、ｎｄ1となる。
【００２２】図３〜図５に加算選択手段９０の選択事例を具体的に示す。図３は、スライス幅Ｗが、Ｗ＝Ｗ8（＝８Ｗ1）の例であって、チャンネル番号１の例である。このチャンネル番号１での８個の検出素子で得るデータをＤ11、Ｄ12…、Ｄ18と示した。サフィックスの最初の数字がチャンネル番号であり、サフィックスの第２の数字が検出素子番号を示す。図３（イ）〜（ニ）は、この８個のデータＤ11〜Ｄ18に対する、加算選択手段９０による選択例を示す。
【００２３】図３（イ）…８個のデータＤ11〜Ｄ18の全加算の例。これは、８個のデータＤ11〜Ｄ18の平均値を第１チャンネルの計測データとする例である。
図３（ロ）…４個のデータＤ11〜Ｄ14、Ｄ15〜Ｄ18に２分し、それぞれ加算した例。第１チャンネルから２つの計測データ（Ｄ11＋Ｄ12＋Ｄ13＋Ｄ14）、（Ｄ15＋Ｄ16＋Ｄ17＋Ｄ18）が得られる。これにより１回の計測で２つのスライス分（１スライスは４Ｗ1の大きさ）の計測データを得、２つの再構成像を得ることができる。
図３（ハ）…２個のデータ毎に区分し、Ｄ11＋Ｄ12、Ｄ13＋Ｄ14、Ｄ15＋Ｄ16、Ｄ17＋Ｄ18と区分毎に加算し、４つのスライス分（１スライスは２Ｗ1の大きさ）の計測データを得、４つの再構成像を得ることができる。
図３（ニ）…加算を一切行わずに、８個のデータをそのまま得る例であり、８スライス（１スライスはＷ1の大きさ）の計測データを得、８つの再構成像を得ることができる。」
   　
（１−ウ）「【００２６】このように本実施例では、スライス選択機構１１により最小スライス幅Ｗ1の整数倍のスライス幅Ｗを選択できると共に、この選択したスライス幅のもとで、加算選択手段９０により更に種々の選択が可能になる。この際、加算選択手段９０による選択は、診断目的や要求画像精度、診断部位等によって、操作者が判断して行う。
【００２７】加算選択手段９０の具体構成を図６（イ）、（ロ）に示す。図６（イ）はアナログ式の例であり、スイッチ群９１に対して、外部からの選択指令で加算群９２内の該当加算器への入力数及び対応入力番号を決める。この選択結果の入力を受けて加算器（アナログ）群９２の該当加算器が加算を行う。図６（ロ）はディジタル式の例であり、ＡＤ変換群９３で信号Ｄ1〜ＤnのすべてのＡＤ変換を行ってデータ化し、これをメモリ９４に格納する。メモリ９４に対して外部から読出制御を行って、選択指令に従ってのデータ読出しを行う。そして加算器（ディジタル）で必要な加算を行う。
【００２８】加算選択手段９０で得られたデータは、画像処理装置４１へ送られて演算され、Ｘ線断層像に再構成される。」
　　
　上記摘記事項（１−ア）記載の「ファンビームＸ線のスライス方向であるＸ線スライス幅Ｗi（但し、ｉはスライス幅番号であって、ｉ＝１、２、…、ｎ）を、最小スライス幅Ｗ1の整数倍で可変することができるＸ線スライス幅調整機構」、及び、上記摘記事項（１−ウ）記載の「スイッチ群９１に対して、外部からの選択指令で加算群９２内の該当加算器への入力数及び対応入力番号を決める。」からみて、スイッチ群９１に対して、Ｘ線スライス幅調整機構からの選択指令で加算群９２内の該当加算器への入力数及び対応入力番号を決めることが読み取れる。
    　
　また、上記摘記事項（１−ア）記載の「ファンビームＸ線のスライス方向であるＸ線スライス幅Ｗi（但し、ｉはスライス幅番号であって、ｉ＝１、２、…、ｎ）を、最小スライス幅Ｗ1の整数倍で可変することができるＸ線スライス幅調整機構」、及び、上記摘記事項（１−イ）記載の「２個のデータ毎に区分し、Ｄ11＋Ｄ12、Ｄ13＋Ｄ14、Ｄ15＋Ｄ16、Ｄ17＋Ｄ18と区分毎に加算し、４つのスライス分（１スライスは２Ｗ1の大きさ）の計測データを得、４つの再構成像を得ることができる。」からみて、Ｘ線スライス幅調整機構からの選択指令で、加算選択手段９０は、２個のデータ毎に区分し、区分毎に加算し、４つのスライス分の計測データを得、４つの再構成像を得ることができることが読み取れる。
      　
　これらの記載事項によると、引用例１には、以下の発明（以下、「引用例１発明」という。）が記載されていると認められる。
  　
「チャンネル幅ｔ0、最小スライス幅Ｗ1相当のスライス検出幅ｄ1のサイズを有する検出素子が、ファンビーム方向にチャンネル相当分、スライス方向に少なくとも最大スライス幅Ｗn相当のスライス検出幅分配列した構成をなし、且つ前記Ｘ線発生源と対向して回転するＸ線検出器と、
Ｘ線スライス幅Ｗi（但し、ｉはスライス幅番号であって、ｉ＝１、２、…、ｎ）を、最小スライス幅Ｗ1の整数倍で可変することができるＸ線スライス幅調整機構と、
前記検出素子のＸ線受光量を各々計測して増幅する複数の増幅素子から成る増幅器に接続したスイッチ群９１に対して、前記Ｘ線スライス幅調整機構からの選択指令で加算群９２内の該当加算器への入力数及び対応入力番号を決め、この選択結果の入力を受けて加算を行う加算器からなる加算器群９２を有する加算選択手段９０とを備え、
Ｘ線スライス幅調整機構からの選択指令で、加算選択手段９０は、２個のデータ毎に区分し、区分毎に加算し、４つのスライス分の計測データを得、４つの再構成像を得ることができるＸ線ＣＴ装置。」
　　
（２）原査定の拒絶理由通知で引用された、原出願の出願前に頒布された刊行物である特開平６−１６９９１２号公報（以下、「引用例２」という。）には、図面とともに次の事項が記載されている。
  　
（２−ア）「【特許請求の範囲】【請求項１】  所定厚のファンビームＸ線を被検体に向かって放射するＸ線管装置と前記被検体を透過した透過Ｘ線を多チャンネルで検出するＸ線検出器とを前記被検体を挟んで対向配置したまま回転軸の回りを回転自在に架台で支持し、前記Ｘ線管装置と前記Ｘ線検出器の回転軌道の各位置でＸ線爆射および透過Ｘ線の検出を繰り返して前記被検体に関する多方向の投影データを収集し、その多方向の投影データを再構成処理装置で再構成処理に供することにより断層像を得るＸ線コンピュータトモグラフィ装置において、
前記Ｘ線検出器は、同一開口度であって各チャンネルに対応する複数の検出素子を前記ファンビームＸ線の拡がり方向に沿って１次元配列した第１の検出素子列と、前記第１の検出素子列の各検出素子の前記開口度と異なる開口度であって各チャンネルに対応する複数の検出素子を前記ファンビームＸ線の拡がり方向に沿って１次元配列した第２の検出素子列とを、同一チャンネルを整合して併設してなり、
前記Ｘ線検出器と前記再構成処理装置との間に介在し、選択手段で選択した所望のスライス厚にしたがって、前記第１検出素子列で検出した各チャンネルの投影データ、前記第２検出素子列で検出した各チャンネルの投影データ、または前記第１検出素子列と前記第２検出素子列の同一チャンネルを加算した投影データを選択的に前記再構成処理装置に供給する手段を具備したことを特徴とするＸ線コンピュータトモグラフィ装置。」
  　
（２−イ）「【００１７】図３はこのデータ合成装置１７のブロック図である。データ収集装置６からの検出信号は中央処理ユニット（ＣＰＵ）２２を介してデータ記憶部２３に記憶される。このＣＰＵ２２の入力端にはスライス厚を選択するためのスライス厚選択部２４が接続されていて、このスライス厚選択部２４で所望のスライス厚が選択されると、データ記憶部２３の検出信号が読み出されＣＰＵ２２を介してデータ選択部２５に送られる。データ選択部２５は、図５に示すように、各チャンネルに対応してｎ個のデータ選択部２５1 〜２５n を備えていて、スライス厚選択部２４で選択したスライス厚を満たすように検出素子列が選択され、その選択された検出素子列の各チャンネルの検出信号だけが出力される。そして、この選択された検出素子列の各チャンネルの検出信号は、各データ選択部２５1 〜２５n に対応して接続されたデータ加算部２６のデータ加算部２６1 〜２６n に送られ、そこでチャンネル毎に加算され、画像再構成処理装置１８に多方向投影データとして出力されるようになっている。
【００１８】画像再構成処理装置１８は、データ合成装置１７からの多方向投影データを逐次近似法やフーリエ計算法などの再構成処理法に供して、Ｘ線吸収係数に応じたＣＴ値を多点について計算しＣＴ像を生成し、このＣＴ像を画像データ記憶装置１９や画像表示装置２０に出力する。次に以上のように構成された本実施例の作用について説明する。
【００１９】多方向投影データの収集にあたっては、高電圧制御装置８、架台制御装置９および寝台制御装置１５が主制御装置１６により統括的に制御され、架台駆動装置５の駆動によるリングフレームの回転に伴ってＸ線管２およびｎチャンネル型２次元アレイ検出器４が被検体Ｐの回りを所定の角速度で間欠回転または連続回転し、その回転の各位置で、高電圧発生装置７からＸ線管２に高電圧が供給されてＸ線爆射が繰り返され、またｎチャンネル型２次元アレイ検出器４の全ての検出素子列２１a 〜２１f の全ての検出素子の同時検出が繰り返される。
【００２０】ｎチャンネル型２次元アレイ検出器４の全検出素子で検出された各検出信号は、データ収集装置６で各別に増幅され且つディジタル変換された後、スリップリング装置等の図示しないデータ転送部を介してデータ合成装置１７に供給され、ＣＰＵ２２を介して、一旦、データ記憶部２３に記憶される。
【００２１】そして、スライス厚選択部２４をして、１mm、２mm、５mm、１０mmの選択範囲の中の所望のスライス厚が選択されると、全ての検出信号がデータ記憶部２３から読み出されＣＰＵ２２を介してチャンネル毎にデータ選択部２５の各データ選択部２５1 〜２５n に送られる。データ選択部２５では、スライス厚選択部２４で選択したスライス厚を構成するように、検出素子列２１a 〜２１f が次のように選択される。つまり、１mmスライス厚が選択されると検出素子列２１c （または２１d ）が選択され、２mmスライス厚が選択されると検出素子列２１c および２１d が選択され、５mmスライス厚が選択されると検出素子列２１b 、２１c 、２１d および２１e が選択され、１０mmスライス厚が選択されると検出素子列２１a 〜２１f の全ての列が選択される。
【００２２】例えば、２mmスライス厚が選択されると、検出素子列２１c および２１d が選択され、この検出素子列２１c および２１d を構成する各検出素子の検出信号だけが、データ選択部２５の各データ選択部２５1 〜２５n からデータ加算部２６の各データ加算部２６1 〜２６n に送られる。」
     　
（２−ウ）「【００２７】以上のように本実施例は、Ｘ線管装置を回転軌道の各位置でＸ線爆射すると共に、被検体の各経路を透過したＸ線を、複数の検出素子を１次元配列した検出素子列を多列備えるＸ線検出器の全ての検出素子で同時検出し、この検出後に所望のスライス厚にしたがって検出素子列を選択し、この選択した検出素子列の同一チャンネルを加算して再構成処理装置に供給しそこで再構成処理に供しているので、一回のデータ収集で得たデータを選択的に用いて様々なスライス厚の断層像を生成することができる。
【００２８】本発明は上述した実施例に限定されることなく、種々変形して実施可能である。例えば、上述の図２に示したｎチャンネル型２次元アレイ検出器は、一回のデータ収集で一スライスのデータを収集するシングルスライス用の検出器であったが、各検出素子列の奥行き長や検出素子列数等を任意に変更し、例えば図６に示した検出素子配列の構造を採用してもよい。図６に示したｎチャンネル型２次元アレイ検出器は、同一幅で奥行き長Ｄa が５mmのｎ個の検出素子を一次元に配列した検出素子列２２a と、奥行き長Ｄb が３mmのｎ個の検出素子を一次元に配列した検出素子列２２b と、奥行き長Ｄc が１mmのｎ個の検出素子を一次元に配列した検出素子列２２c と、奥行き長がＤc と同じ１mmのｎ個の検出素子を一次元に配列した検出素子列２２d とを一組として設け、この組と同じ組み合わせの検出素子列２２e 〜２２h を併設した他の組を上記一組に併設し、一回のデータ収集で２スライスのデータを収集するダブルスライス対応としてもよい。」
    　
３．対比・判断
　本願補正発明と引用例１発明とを対比する。
　　
（１）引用例１発明の「チャンネル幅ｔ0、最小スライス幅Ｗ1相当のスライス検出幅ｄ1のサイズを有する検出素子が、ファンビーム方向にチャンネル相当分、スライス方向に少なくとも最大スライス幅Ｗn相当のスライス検出幅分配列した構成をなし、且つ前記Ｘ線発生源と対向して回転するＸ線検出器」と、
本願補正発明の「被検体に対するＸ線ビームのスライス厚方向及びこのスライス厚方向に直交するチャンネル方向に複数のＸ線検出素子を２次元的に配列し且つ前記スライス厚方向の前記Ｘ線検出素子のピッチを不均等に形成した２次元検出器」及び「前記２次元検出器は前記スライス厚方向に沿って各チャンネル毎に複数の検出素子列を有し」とは、
機能・構造からみて、「被検体に対するＸ線ビームのスライス厚方向及びこのスライス厚方向に直交するチャンネル方向に複数のＸ線検出素子を２次元的に配列した２次元検出器」及び「前記２次元検出器は前記スライス厚方向に沿って各チャンネル毎に複数の検出素子列を有し」という点で共通する。
　　
（２）引用例１発明の「前記検出素子のＸ線受光量を各々計測して増幅する複数の増幅素子から成る増幅器に接続したスイッチ群９１に対して、外部からの選択指令で加算群９２内の該当加算器への入力数及び対応入力番号を決め、この選択結果の入力を受けて加算を行う加算器」と、
本願補正発明の「この２次元検出器の検出信号を収集処理してその検出信号に応じたディジタルデータを得るデータ収集素子」とは、
機能・構造、及び、他の構成との接続関係からみて、「この２次元検出器の検出信号を収集処理してその検出信号を得るデータ収集素子」という点で共通する。
　　
（３）引用例１発明の「加算器群９２を有する加算選択手段９０」は、他の構成からみてスライス厚方向及びチャンネル方向に各加算器により加算を行うといえるから、本願補正発明の「データ収集素子を前記スライス厚方向及びチャンネル方向に対応させて複数個配列して成るデータ収集装置」に相当する。
　　
（４）引用例１発明の「Ｘ線スライス幅Ｗi（但し、ｉはスライス幅番号であって、ｉ＝１、２、…、ｎ）を、最小スライス幅Ｗ1の整数倍で可変することができるＸ線スライス幅調整機構」は、「スイッチ群９１に対して、前記Ｘ線スライス幅調整機構からの選択指令で加算群９２内の該当加算器への入力数及び対応入力番号を決め」るものであるから、本願補正発明の「前記２次元検出器の各Ｘ線検出素子を前記スライス厚方向毎にスライス厚条件に応じて切換可能に選択し、同一スライス層のＸ線透過データを前記データ収集装置のスライス厚方向に対応するデータ収集素子に送るように接続し、それぞれ同一のスライス厚のＸ線透過データが得られるようにする検出素子選択手段」に相当する。
　　
（５）引用例１発明の「加算選択手段９０は、２個のデータ毎に区分し、区分毎に加算し、４つのスライス分の計測データを得、４つの再構成像を得ることができる」と、
本願補正発明の「前記検出素子選択手段は、４スライス以上に対応した前記Ｘ線検出素子を選択し、最小スライスピッチより大きなスライスピッチのスライス厚が設定された場合において、スライス厚方向における内側のスライスに対応して選択される検出素子数は、外側のスライスに対応して選択される検出素子数よりも多い」とは、
機能からみて、「前記検出素子選択手段は、４スライス以上に対応した前記Ｘ線検出素子を選択する」点で共通する。
　　
（６）引用例１発明の「Ｘ線装置」は、機能・構造からみて、本願補正発明の「Ｘ線ＣＴスキャナ」に相当する。
　　
　以上、（１）〜（６）の考察から、両者は、
　　
（一致点）
「被検体に対するＸ線ビームのスライス厚方向及びこのスライス厚方向に直交するチャンネル方向に複数のＸ線検出素子を２次元的に配列した２次元検出器と、この２次元検出器の検出信号を収集処理してその検出信号を得るデータ収集素子を前記スライス厚方向及びチャンネル方向に対応させて複数個配列して成るデータ収集装置とを備えたＸ線ＣＴスキャナにおいて、 　前記２次元検出器は前記スライス厚方向に沿って各チャンネル毎に複数の検出素子列を有し、 　前記２次元検出器の各Ｘ線検出素子を前記スライス厚方向毎にスライス厚条件に応じて切換可能に選択し、同一スライス層のＸ線透過データを前記データ収集装置のスライス厚方向に対応するデータ収集素子に送るように接続し、それぞれ同一のスライス厚のＸ線透過データが得られるようにする検出素子選択手段を備え、　　 　前記検出素子選択手段は、４スライス以上に対応した前記Ｘ線検出素子を選択することを特徴とするＸ線ＣＴスキャナ。」
　　
である点で一致し、次の点で相違する。
  　
（相違点１）
　２次元検出器、及び、検出素子選択手段の構成が、
本願補正発明では、「スライス厚方向のＸ線検出素子のピッチを不均等に形成し」、「各チャンネル毎の検出素子列は、前記スライス厚方向の中心部に最小スライスピッチを有する複数の基本検出素子を配置し、そのスライス厚方向に沿った前記基本検出素子の両サイドに前記最小スライスピッチよりもｎ倍（ｎ：自然数）大きいスライスピッチを有するＸ線検出素子を配置した不均等ピッチ構造に構成し」、「最小スライスピッチより大きなスライスピッチのスライス厚が設定された場合において、スライス厚方向における内側のスライスに対応して選択される検出素子数は、外側のスライスに対応して選択される検出素子数よりも多い」のに対し、
引用例１発明では、「スライス検出幅ｄ1のサイズを有する検出素子」であり、「２個のデータ毎に区分し、区分毎に加算し、４つのスライス分の計測データを得」ている点。
　　
（相違点２）
　２次元検出器の検出信号を収集処理してその検出信号に応じたデータ収集素子が、本願補正発明では、「検出信号に応じたディジタルデータを得る」のに対し、引用例１発明の加算器には、デジタルデータを得る機能の有無が不明な点。
  　　
４．当審の判断
　上記（相違点１）について検討する。
　引用例２には上記２．（２）の摘記事項（２−ア）乃至（２−ウ）の記載から、「ｎチャンネル型２次元アレイ検出器は、同一幅で奥行き長Ｄaが５mmの検出素子列２２aと、奥行き長Ｄbが３mmの検出素子列２２bと、奥行き長Ｄcが１mmの検出素子列２２c と、奥行き長が１mmの検出素子列２２dとを一組として設け、この組と同じ組み合わせの検出素子列２２e〜２２hを併設した他の組を上記一組に併設し、すなわち、奥行き１mmの検出素子列を２列設け、その両サイドにそれより３倍大きいスライスピッチを有する検出素子列を有した構造であり、所望のスライス厚に応じて、各検出素子列からのデータを選択してスライス厚保に相当するデータを形成し、一回のデータ収集で２スライスのデータを収集するダブルスライス対応としたＸ線コンピュータトモグラフィ装置」が記載されているといえる。
  　
　したがって、引用例１発明のＸ線ＣＴ装置も、引用例２に記載されたＸ線コンピュータトモグラフィも、スライス厚の条件に応じて、複数の検出素子を選択して、複数のスライスデータを形成するという同一技術分野に属するから、引用例１発明の検出素子として、同一スライスピッチのものに代えて、引用例２に記載された不均一のスライスピッチの構造のものを採用することは、当業者であれば容易になしうることである。
　そして、上記採用に伴い、４つのスライスデータを形成する際に、検出素子を適宜の数で組合せることは、例えば、引用例２の記載の範囲においても、４スライスを全て５ｍｍ厚で形成するように設定すれば、内側は２２ｂ〜２２ｄの３列、外側は２２ａの１列と、本願補正発明と同条件での選択が当然になされることから、検出素子のスライスピッチとスライス厚の設定の範囲で適宜なしうる程度のことである。
　
　よって、引用例１発明に対し、引用例２に記載された検出素子の構造を適用し、本願補正発明のようにすることは、当業者であれば容易になし得たことである。
　　
　上記（相違点２）について検討する。
　Ｘ線ＣＴ装置において、検出した信号をもとに画像を形成する以上、検出から画像形成までのうちの何れかの過程でディジタルデータに変換することは、原出願の出願日前に例示するまでもない周知の技術であり、加算器の構造をデジタルデータを扱えるようにすることも、上記２．（２）の摘記事項（１−ウ）に記載されている。
　よって、引用例１発明の加算器に対し、周知のデジタルデータを扱う機能を付加し、本願補正発明のように構成することは、当業者であれば容易になし得たことである。
　　
　したがって、本願補正発明は、引用例１発明、引用例２に記載された発明、及び、上記周知技術に基づいて当業者が容易に発明をすることができたものであるから、特許法第２９条第２項の規定により独立して特許を受けることができない。
　　
　そして、本願補正発明の奏する効果についても、引用例１、２及び上記周知技術に基づいて当業者が予測し得る範囲内のものである。
　　
　なお、請求人は、当審における審尋に対する平成２１年１２月２５日付け回答書において、請求項１において、「この各チャンネル毎の検出素子列は、前記スライス厚方向の中心部に最小スライスピッチを有する
２のｍ乗（ｍ：２以上の自然数）の数
２倍大きいスライスピッチ
２の（ｍ−２）乗の数ずつそれぞれ
  　
　しかしながら、出願当初の明細書には、「
２のｍ乗（ｍ：２以上の自然数）の数
２倍大きいスライスピッチ
２の（ｍ−２）乗の数ずつそれぞれ
　ゆえに、上記補正案は採用できない。
  　
５．本件補正についての結び
　以上のとおり、本件補正は、平成１８年法改正前の特許法第１７条の２第５項において準用する同法第１２６条第５項の規定に違反するので、同法第１５９条第１項において読み替えて準用する同法第５３条第１項の規定により却下すべきものである。
　　
第３　本願発明について
１．本願発明
　平成２０年７月２８日付けの手続補正は上記のとおり却下されることとなったので、本願の請求項１乃至８に係る発明は、平成２０年３月３１日付け手続補正書により補正された明細書の特許請求の範囲の請求項１乃至８に記載された事項により特定されたとおりのものであるところ、請求項１に係る発明（以下、「本願発明」という。）は、次のとおりのものである。
　　
「【請求項１】被検体に対するＸ線ビームのスライス厚方向及びこのスライス厚方向に直交するチャンネル方向に複数のＸ線検出素子を２次元的に配列し且つ前記スライス厚方向の前記Ｘ線検出素子のピッチを不均等に形成した２次元検出器と、この２次元検出器の検出信号を収集処理してその検出信号に応じたディジタルデータを得るデータ収集素子を前記スライス厚方向及びチャンネル方向に対応させて複数個配列して成るデータ収集装置とを備えたＸ線ＣＴスキャナにおいて、
　前記２次元検出器は前記スライス厚方向に沿って各チャンネル毎に複数の検出素子列を有し、この各チャンネル毎の検出素子列は、前記スライス厚方向の中心部に最小スライスピッチを有する複数の基本検出素子を配置し、そのスライス厚方向に沿った前記基本検出素子の両サイドに前記最小スライスピッチよりもｎ倍（ｎ：自然数）大きいスライスピッチを有するＸ線検出素子を配置した不均等ピッチ構造に構成し、
　前記２次元検出器の各Ｘ線検出素子を前記スライス厚方向毎にスライス厚条件に応じて切換可能に選択し、同一スライス層のＸ線透過データを前記データ収集装置のスライス厚方向に対応するデータ収集素子に送るように接続し、それぞれ同一のスライス厚のＸ線透過データが得られるようにする検出素子選択手段を備えたことを特徴とするＸ線ＣＴスキャナ。」
  
２．引用例記載の発明
　原査定の拒絶の理由で引用された引用例１及び２は、前記「第２［理由］２．」に記載したとおりである。
　　
３．対比・判断
　本願発明は、上記「第２［理由］」で検討した本願補正発明から、「検出素子選択手段」の構成として、「前記検出素子選択手段は、４スライス以上に対応した前記Ｘ線検出素子を選択し、最小スライスピッチより大きなスライスピッチのスライス厚が設定された場合において、スライス厚方向における内側のスライスに対応して選択される検出素子数は、外側のスライスに対応して選択される検出素子数よりも多い」との限定を除いたものである。
　　
　そうすると、本願発明の発明特定事項を全て含み、更に他の限定的な発明特定事項を付加したものに相当する本願補正発明が、前記「第２［理由］３．」に記載したとおり，引用例１発明、引用例２に記載された発明、及び、周知技術に基づいて当業者が容易に発明することができたものである以上、本願発明も同様の理由により、当業者が容易に発明をすることができたものである。
    
４．むすび
　以上のとおり、本願の請求項１に係る発明は、特許法第２９条第２項の規定により特許を受けることができないものである。
　したがって、本願は、その他の請求項について検討するまでもなく、拒絶されるべきものである。
　よって、結論のとおり審決する。